(57)【特許請求の範囲】
【請求項１】
本体ケースと、
発光素子を有する照明装置が前記本体ケースに装着された際に発電する発電部と、
無線通信を行う無線通信部と、
前記照明装置が前記本体ケースに装着された際に、前記発電部が発電した電力に基づいて、前記無線通信部を介して前記照明装置を識別する識別情報を送信する制御部とを備える
照明器具。
【請求項２】
前記発電部は、圧電素子であり、
前記本体ケースは、前記圧電素子を押圧する凸部を有し、
前記圧電素子は、前記照明装置が前記本体ケースに装着された際に、前記識別情報を送信することができる電力を前記制御部に供給するように前記凸部により押圧される
請求項１記載の照明器具。
【請求項３】
前記圧電素子、前記制御部及び前記無線通信部は、前記照明装置に固定されている
請求項２記載の照明器具。
【請求項４】
前記照明装置は、前記発光素子を発光させるための電力を供給する通電用の照明装置側コネクタを有し、
前記本体ケースは、前記照明装置が前記本体ケースに装着された際に、前記照明装置側コネクタと電気的に接続するケース側コネクタを有している
請求項１〜３のいずれか１項に記載の照明器具。
【請求項５】
請求項１〜４のいずれか１項に記載の照明器具と、
表示部を有する端末装置とを備え、
前記端末装置は、前記本体ケースに前記照明装置が装着されると、装着した前記照明装置の前記識別情報を受信し、前記照明器具の設置されている状況を示す設置状態を更新して前記表示部に表示する
照明システム。
【請求項６】
前記照明器具を設置する設置エリア内には、複数の当該照明器具が設置されている
請求項５記載の照明システム。
【請求項７】
請求項６記載の照明システムの設定方法であって、
前記設置エリア内における前記照明器具の前記設置状態を前記端末装置が取得する設置状態取得ステップと、
前記設置状態取得ステップ後に、前記表示部に表示されている前記複数の照明器具から１つの照明器具を選択し、前記識別情報を受信待ち状態とする受信待機ステップと、
前記受信待機ステップで選択した前記１つの照明器具における前記照明装置を前記本体ケースに装着する装着ステップと、
前記装着ステップの直後において、前記制御部が前記無線通信部を介して送信した前記識別情報を、前記端末装置が受信する送受信ステップと、
前記端末装置と前記照明器具とを対応付けるペアリングステップとを含む
照明システムの設定方法。
【発明の詳細な説明】
【技術分野】
【０００１】
本発明は、照明器具、照明システム及び照明システムの設定方法に関し、特に事務所や倉庫等のような大きな施設内に設置される照明器具と、この照明器具を用いた照明システムと、この照明システムの設定方法に関する。
【背景技術】
【０００２】
従来、照明装置の一例であるラピッドスタート型の蛍光灯と、ラピッドスタート型の蛍光灯に設置される無線通信部の一例である無線送信部と、無線送信部を通じて蛍光灯の動作状態を送信する制御部とを有している（例えば特許文献１参照）。
【先行技術文献】
【特許文献】
【０００３】
【特許文献１】特開２０１０−４４９５０号公報
【発明の概要】
【発明が解決しようとする課題】
【０００４】
しかしながら、特許文献１に記載された照明器具では、端末機器と照明器具とのペアリング作業に手間が掛かるため、ペアリング作業を簡易に行いたいという要望がある。
【０００５】
本発明は、このような課題を解決するためになされたものであり、系統電力から電力が供給されていなくてもペアリング作業を行うことができる照明器具、照明システム及び照明システムの設定方法を提供することを目的とする。
【課題を解決するための手段】
【０００６】
上記課題を解決するために、本発明に係る照明器具の一態様は、本体ケースと、発光素子を有する照明装置が前記本体ケースに装着された際に発電する発電部と、無線通信を行う無線通信部と、前記照明装置が前記本体ケースに装着された際に、前記発電部が発電した電力に基づいて、前記無線通信部を介して前記照明装置を識別する識別情報を送信する制御部とを備える。
【０００７】
また、本発明に係る照明システムの一態様は、前記照明器具を設置する設置エリア内には、複数の当該照明器具が設置されている。
【０００８】
また、本発明に係る照明システムの設定方法の一態様は、前記設置エリア内における前記照明器具の前記設置状態を前記端末装置が取得する設置状態取得ステップと、前記設置状態取得ステップ後に、前記表示部に表示されている前記複数の照明器具から１つの照明器具を選択し、前記識別情報を受信待ち状態とする受信待機ステップと、前記受信待機ステップで選択した前記１つの照明器具における前記照明装置を前記本体ケースに装着する装着ステップと、前記装着ステップの直後において、前記制御部が前記無線通信部を介して送信した前記識別情報を、前記端末装置が受信する送受信ステップと、前記端末装置と前記照明器具とを対応付けるペアリングステップとを含む。
【発明の効果】
【０００９】
本発明によれば、系統電力から電力が供給されていなくてもペアリング作業を行うことができる。
【図面の簡単な説明】
【００１０】
【図１】実施の形態に係る照明器具の斜視図である。
【図２】実施の形態に係る照明器具の分解斜視図である。
【図３】実施の形態に係る照明器具のブロック図である。
【図４】図１のＩＶ−ＩＶ線における実施の形態に係る照明器具の断面図である。
【図５】実施の形態に係る照明システムの設定方法を示す端末装置のフローチャートである。
【図６】実施の形態に係る照明システムの設定方法を示す端末装置の模式図である。
【図７】実施の形態に係る照明システムの設定方法において、本体ケースに照明装置の設置を示すフローチャートである。
【図８】実施の形態に係る照明システムを示す模式図である。
【図９】実施の形態に係る照明システムにおける照明器具１の初期設定及びその後の動作を示すフローチャートである。
【図１０】実施の形態に係る照明システムの設定方法において、設置作業者が本体ケースに照明装置の装着を行っている状態を示す模式図である。
【発明を実施するための形態】
【００１１】
（本発明の基礎のとなった知見）
事務所や倉庫のような比較的広い施設内では、通常、その天井部分に複数の照明器具を設置している。近年では、照明器具に無線通信を行うことができる無線通信部を設け、この無線通信部を介して照明器具の点灯、消灯および調光等の操作を行うことができる構成としている。
【００１２】
このような構成の照明器具では、照明器具を操作するためのスイッチボックス（照明器具を操作するための当該照明器具とは独立したリモコン）を柱や壁等に取り付けるだけでよく、このスイッチボックスと照明器具とを電気的に接続する配線を廃止している。このため、このような配線を設置する配線作業を大幅に簡素化ができる。
【００１３】
また、事務所や倉庫のような比較的広い施設内で働く者にとっても、手元にあるリモコンにより照明器具の点灯、消灯および調光等の操作を行うことができるため、遠く離れた場所にあるスイッチボックスまで出向く必要がない。このため、このような照明器具では、極めて利便性が高くなる。
【００１４】
しかし、事務所や倉庫のような比較的広い施設内に設けられている照明器具においては、天井部分に取り付けられている本体ケースに照明器具が有する照明装置を装着した後に、照明器具と端末装置（スマートフォン、タブレット式端末装置、リモコンなど）とを対応付けさせる作業（ペアリング作業）が必要になる。事務所や倉庫のような比較的広い施設内では、複数の本体ケースに複数の照明装置を一対一で設置する場合、１つの本体ケースに１つの照明装置を装着してから、照明器具と端末装置との対応付けを行うという作業を複数回行わなければならない。このため、このような作業をおこなう箇所が増えれば増えるほど、照明器具と端末装置との対応付けを行う作業が増加し、この作業を行う設置作業者にとって、極めて手間のかかる煩わしいものである。
【００１５】
また、天井部分に設置されている照明装置が有する固有の識別情報は、当然のこととして事前に入手することができるものの、例えば、大きな部屋内において複数の照明装置を設ける場合に、端末装置との対応付けを行える照明器具がどこにあるのかを探すことは大変な作業となる。設置作業者は、端末装置の表示部を介して表示された照明装置を装着する照明器具設置図等により、照明装置が設置されている位置を特定することができたとしても、端末装置と照明器具との対応付けを行う作業が極めて手間のかかるものとなっている。
【００１６】
具体的には、まず、系統電力から照明器具に電力を供給している状態にした上で、設置作業者は、端末装置の表示部に表示されている照明器具設置図を閲覧し、１つの照明器具を選択する。端末装置は、選択した照明器具の識別情報を当該照明器具に送信する。この選択された照明器具は、端末装置から識別情報を受信し、点灯及び消灯を繰り返す点滅状態となる。設置作業者は、この点滅状態が行われている照明器具がどこに存在するのかを見定めることでその照明器具の位置を確認することになる。
【００１７】
次に、設置作業者は、点滅状態の照明器具の場所に出向く。設置作業者は、点滅状態の照明器具と、この照明器具設置図においてすでに選択した１つの照明器具との対応付けを行う作業を、改めて端末装置を操作して行うのである。
【００１８】
このような作業を経て、端末装置と照明器具との対応付けを行う一連の作業が終了したこととなるが、設置を行う照明器具が複数ある場合、設置作業者は、またもや異なる場所まで出向いて同様の作業を行わなければならず、この作業を照明器具の数だけ行わなければならない。このため、事務所や倉庫のような比較的広い施設内では、端末装置と照明器具との対応付けを行う一連の作業に時間が掛かり過ぎてしまう。このため、設置作業者の負担は大きいものとなる。
【００１９】
また、通常、施設が完成してから照明器具等に系統電力から電力が供給されるため、このような作業は、系統電力から電力が供給を待ってから行われる。つまり、系統電力から電力が供給されないとこのような作業を行うことができない。このため、設置作業者は、系統電力から電力が供給されるときに、再度、その施設に赴きこれらの作業を行う。
【００２０】
このため、端末装置と照明器具との対応付けを行う一連の作業には、時間と手間が掛かり過ぎており施工を行う効率が悪いため、このような作業を簡易にしたいという要望がある。
【００２１】
そこで、本発明の照明器具、照明システム及び照明システムの設定方法では、系統電力から電力が供給されていなくてもペアリング作業を行うことができる。また、このような照明システムの設定方法では、照明器具の設置作業に対する作業性を高める（ペアリング作業における煩雑さを軽減する）ことができる。
【００２２】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２３】
また、「略＊＊」との記載は、「略同一」を例に挙げて説明すると、全く同一はもとより、実質的に同一と認められるものを含む意図である。
【００２４】
なお、各図は、模式図であり、必ずしも厳密に図示されたものではない。また、各図において、実質的に同一の構成に対しては同一の符号を付しており、重複する説明は省略又は簡略化する。
【００２５】
（実施の形態）
以下、本発明の実施の形態に係る照明器具１及び照明システム１００の設定方法について説明する。
【００２６】
［構成］
まず、本発明の実施の形態に係る照明器具１の構成について、図１〜図４を用いて説明する。
【００２７】
図１は、実施の形態１に係る照明器具１の斜視図である。図２は、実施の形態に係る照明器具１の分解斜視図である。図３は、実施の形態に係る照明器具１のブロック図である。図４は、図１のＩＶ−ＩＶ線における実施の形態に係る照明器具１の断面図である。
【００２８】
図１では、照明器具１を天井に設置した状態において、カバー部材側の方向を下方向、カバー部材側の方向とは反対側（天井側）の方向を上方向と規定し、無線モジュール側の方向を左方向、無線通信部側の方向とは反対側の方向を右方向と規定し、係合部側の方向を前方向、係合部側の方向とは反対側の方向を後方向と規定する。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００２９】
図１に示すように、照明器具１は、長尺状をなしたＬＥＤランプであり、例えばねじ等の固定部材によって天井に固定した状態で使用する。
【００３０】
照明器具１は、器具本体２と、カバー部材３とを有している。器具本体２は、照明器具１のベースとなる部材である。器具本体２は、本体ケース２１と、照明装置５とを有している。
【００３１】
本体ケース２１は、長尺状をなし、上下方向及び前後方向で規定される平面を断面視した場合に、略左右対称の方形状をなしている。図２に示すように、本体ケース２１には、下面から上方に向かって凹む収容部２１ａが形成されている。収容部２１ａは、左右方向に延在する溝である。収容部２１ａには、照明装置５における、制御部４３、発電部４５、基台４１、発光モジュール６０等が収容されている。収容部２１ａの底面から、制御部４３及び発電部４５、基台４１、発光モジュール６０、カバー部材３の順で、下方向に向かって並ぶように配置されている。
【００３２】
収容部２１ａの底部には、照明装置５を器具本体２に設置した際に、後述する発電部４５の圧電素子４５ａを押圧することが可能な押圧突部２１ｂ（凸部の一例）が設けられている。本実施の形態では、押圧突部２１ｂは、照明装置５を器具本体２に設置した際に、発電部４５の圧電素子４５ａに対応する位置で、収容部２１ａの底面から下方に向かって突出している。押圧突部２１ｂは、収容部２１ａの底部と異なる別の部材であってもよく、収容部２１ａの底部と一体化された同一の部材であってもよい。
【００３３】
照明装置５は、照明装置本体４０と、発光モジュール６０とを有している。
【００３４】
図２及び図３に示すように、照明装置本体４０は、基台４１と、制御部４３と、発電部４５と、無線モジュール４７と、記憶部４９と、電圧検知部５１と、電源部５３とを有している。
【００３５】
基台４１は、アルミニウム、鉄、セラミック製、金属フィラーを混合した樹脂などで構成された、左右方向に長尺なフレームである。本実施の形態において、基台４１は、金属製であり、当該基台４１の下面に配置されている発光モジュール６０の配線基板６１を固定している。
【００３６】
図２に示すように、基台４１は、本体ケース２１に着脱可能に取り付けられている。基台４１は、前方向に突出する２つの係合部を有している。基台４１と本体ケース２１とは、本体ケース２１の収容部２１ａ内に形成された２つの切り欠き部に２つの係合部４１ｃが一対一で係合することで固定される。なお、基台４１と本体ケース２１とは、例えばねじ等の固定部材によって固定されていてもよい。
【００３７】
制御部４３は、直方体状のケース７に収容され、基台４１の裏面（上面）と、収容部２１ａの底部との間に配置されている。制御部４３は、使用者からの指示（スマートフォン、タブレット式端末装置、リモコン等を介した制御信号）に従って、発光モジュール６０の点灯、消灯、調光（明るさの調整）、および調色（発光色（色温度）の調整）等の動作を制御する。制御部４３は、例えば、入力された制御信号に応じて発光モジュール６０に供給する電流値等を制御するマイクロコンピュータ、プロセッサ、または専用回路によってこれらの動作を実現する。
【００３８】
制御部４３は、設置作業者が表示部１０２で１つの照明器具設置場所１０３ａを選択したときからの時間を計測するタイマ機能を有している。
【００３９】
発電部４５は、圧電素子４５ａ（ピエゾ素子）を有しており、制御部４３に電気的に接続されている。発電部４５は、無線モジュール４７に近接するように右側に配置され、ねじやテープ等の固定部材により基台４１の裏面（上面）に固定され、基台４１の裏面（上面）と収容部２１ａの底部との間に配置されている。図４に示すように、発電部４５の圧電素子４５ａは、照明装置５を本体ケース２１に装着した際に、押圧突部２１ｂにより押圧されるように設けられている。本実施の形態では、発電部４５は平板状のデバイスであり、照明装置５を本体ケース２１に装着した際に、圧電素子４５ａは押圧突部２１ｂと対応する位置に設けられている。圧電素子４５ａは、押圧突部２１ｂにより押圧された際（装着と同時又は装着とほぼ同時）に瞬間的な発電が行われるように設けられている。言い換えれば、押圧突部２１ｂにより圧電素子４５ａが押圧された際に瞬間的に電力が生じる。この発電部４５の電力は制御部４３に供給され、制御部４３はこの電力に基づいて、無線モジュール４７を介して後述する識別情報を端末装置１０１に送信する。
【００４０】
図２及び図３に示すように、無線モジュール４７は、識別情報を端末装置１０１に送信したり、複数の照明機能のうち少なくとも一部の照明機能に応じて発光モジュール６０を制御するための信号を受送信したりする。つまり、無線モジュール４７は、端末装置１０１を介した識別情報等の制御信号を受信したり、発光モジュール６０を制御した結果を示す情報を送信したりする。なお、無線モジュール４７は、例えば、インターネットを通じてプログラム配信サーバと通信するための通信モジュールであってもよい。また、無線モジュール４７と、プログラム配信サーバとの間には、モデムや、ルータ、中継サーバなどの通信装置が存在してもよい。
【００４１】
なお、無線モジュール４７と、端末装置１０１との間には、モデムや、ルータ、中継サーバなどの他の通信装置が存在してもよい。つまり、無線モジュール４７と端末装置１０１とが通信を行う場合は、他の通信装置を介しての送信が含まれる。受信についても同様である。
【００４２】
また、無線モジュール４７は、基台４１の右端縁に固定され、制御線を介して制御部４３と電気的に接続している。無線モジュール４７は、アンテナ部を有しており、アンテナ部が基台とカバー部材３との間で基台４１から露出するように設けられている。アンテナ部は、無線信号を送受信するためのパターンアンテナであり、ハウジングに覆われている。アンテナ部は、基板上に実装された導電パターンである。なお、アンテナ部は、無線信号の送信および受信を行うアンテナであればよく、パターンアンテナに限定されるものではない。例えば、アンテナ部は、チップアンテナなど、無線信号を送信または受信できるものであればよい。
【００４３】
無線信号は、識別情報だけでなく、リモコン等を介した発光モジュール６０の点灯、消灯、調光（明るさの調整）、および調色（発光色（色温度）の調整）等の動作を制御する制御信号である。
【００４４】
制御部４３には、記憶部４９が電気的に接続されている。記憶部４９は、制御部４３とともにケース７に収容されている。記憶部４９は、所定時間や、照明装置５を識別する識別情報が格納されているデータベースである。識別情報とは、例えば照明装置５の型番等といった照明装置５が有する固有の情報であって、更新されることのない情報である。所定時間は、制御部４３がタイマ機能に基づいて、計測を開始した時間から現在までの時間である経過時間と、所定時間とから、経過時間が所定時間を経過しているか否かを判断するために使用する、予め設定されている時間である。所定時間は、例えば、１分間、３分間等の時間であり、任意に変更することができてもよい。
【００４５】
記憶部４９としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。なお、記憶部４９は、制御部４３内に設けられてもよい。
【００４６】
電圧検知部５１は、電源部５３に系統電力からの電圧が供給されていることを検知する回路により構成されている。電圧検知部５１は、制御部４３と電源部５３とに電気的に接続されている。
【００４７】
発光モジュール６０には、電源部５３に電気的に接続されている。発光モジュール６０は、長尺な板状をなし、複数の光源６２（発光素子の一例）と、光源６２を実装する配線基板６１とを有し、調光制御および調色制御が可能なモジュールである。本実施の形態では、３つの配線基板６１のそれぞれに８つの光源６２が一列に設けられている。配線基板６１は、直線となるように左右方向に一列に並んでいる。中央の配線基板６１は、その右端が一方の配線基板６１の左端と電気的に接続され、その左端が他方の配線基板６１の右端と電気的に接続されている。
【００４８】
光源６２は、配線基板６１上に一列に並ぶように実装されている。光源６２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップが実装され、キャビティ内に蛍光体含有樹脂が封入されたパッケージ型のＬＥＤ素子である。光源６２は、照明装置５に設けられている制御部４３により制御されて点灯及び消灯を行う。また、各光源６２は、制御部４３が電源部５３を制御して調光及び調色が行われる。
【００４９】
配線基板６１は、複数の光源６２を実装するための実装基板であって、例えばセラミックス基板、樹脂基板又は絶縁被覆されたメタルベース基板である。また、配線基板６１は、例えば平面視において矩形状である平面を有する板状である。なお、配線基板６１には、光源６２を発光させるための直流電力を電源部５３から受電するための一対の電極端子（正電極端子及び負電極端子）が形成されている。
【００５０】
制御部４３には、光源６２を発光させるための電力を供給する電源部５３が電気的に接続されている。電源部５３は、基台４１の上側（発光モジュール６０が配置される側とは反対側）に配置される。つまり、電源部５３は、基台４１を挟んで配線基板６１とは反対側の領域に配置されている。電源部５３と発光モジュール６０とは基台４１を介して隔てられている。電源部５３は、ケース７に収容されていてもよい。
【００５１】
カバー部材３は、発光モジュール６０を覆うカバー部材３であり、発光モジュール６０から発せられた光を透過させる透光性の部材である。カバー部材３は、例えば、アクリルやポリカーボネート等の透光性樹脂材料又は透明なガラス材料等の透光性を有する材料で形成される。また、本実施の形態では、カバー部材３は、発光モジュール６０から発せられた光を拡散する機能も有している。例えば、シリカもしくは炭酸カルシウムなどの光拡散材（微粒子）を含有する樹脂または白色顔料を、カバー部材３の内面または外面に付着させることで、乳白色の光拡散膜がカバー部材３に形成される。また、カバー部材３そのものが、光拡散材が分散された樹脂材料等を用いて成形されてもよい。
【００５２】
なお、光を拡散するカバー部材３としては、内部に光拡散材を分散させるのではなく、当該カバー部材３の内面又は外面に光拡散材等を含む乳白色の光拡散膜を形成することによって構成されていてもよい。また、光を拡散するカバー部材３は、光拡散材を用いるのではなく、拡散加工を施すことによって光拡散性を有するように構成されていてもよい。例えば、シボ加工等の表面処理を施すことによって透明パネルの内面又は外面に微小凹凸を形成したり、透明カバーの内面又は外面にドットパターンを印刷したりすることによって光拡散性を有するように構成してもよい。なお、拡散加工する場合であっても、光拡散性を高めるために、さらに光拡散材を含有させてもよい。
【００５３】
なお、カバー部材３が光を拡散する機能を有することは必須ではなく、カバー部材３は、カバー部材３の外部から内部を視認可能な程度に透明であってもよい。
【００５４】
このような構成の照明器具１では、図３に示すように、ユーザがリモコン等の端末装置１０１を用いて操作すれば、例えば、無線モジュール４７及び制御線を介して制御部４３が発光モジュール６０への電流の出力をオン・オフすることによって点灯・消灯がなされる。
【００５５】
また、この照明器具１は、発光モジュール６０の調光および調色機能に対応している。調光機能は、制御部４３が発光モジュール６０への電流の出力を増減させることにより実現される。また、調色機能は、制御部４３が発光モジュール６０に含まれる光源６２それぞれに対する供給電流のバランスを変更することで実現される。なお、制御部４３の発光モジュール６０への供給電流の増減は、例えば、ＰＷＭ制御などにより行われる。
【００５６】
［照明システムの設定方法］
次に、設置作業者が本体ケース２１に照明器具１の設置、ペアリング作業等における照明システム１００の設定方法について、図５〜図８を用いて説明する。
【００５７】
図５は、実施の形態に係る照明システム１００の設定方法を示す端末装置１０１のフローチャートである。図６の（ａ）、図６の（ｂ）及び図６の（ｃ）は、実施の形態に係る照明システム１００の設定方法を示す端末装置１０１の模式図である。図７は、実施の形態に係る照明システム１００の設定方法において、本体ケース２１に照明装置５の設置を示すフローチャートである。図８は、実施の形態に係る照明システム１００を示す模式図である。
【００５８】
複数の本体ケース２１は、施工を終えた広い施設内の天井の設置エリア内に複数設置される。設置作業者は、この複数の本体ケース２１に複数の照明装置５を一対一で装着していく。本実施の形態では、６個の本体ケース２１が設けられている。
【００５９】
図５に示すように、まず、設置作業者は、自己が装備している端末装置１０１を起動させ、ペアリング作業を行うために、ペアリング作業モードを開始する（ステップＳ１）。なお、端末装置１０１には、ペアリング作業を行うための専用のプログラムがインストールされている。
【００６０】
次に、設置作業者は、照明器具１を設置するための照明器具設置図１０３を端末装置１０１に取得する。この照明器具設置図１０３は、予め設定されている図であり、例えば、ネットワーク等を介してサーバ装置から取得する。照明器具設置図１０３の取得が照明器具設置図１０３に対応する位置に合致した照明器具１を設置する準備となる（ステップＳ２：設置状態取得ステップ）。なお、照明器具設置図１０３の取得は、ＵＳＢメモリ等の記憶装置から取得するものでもよい。
【００６１】
次に、図５及び図６の（ａ）に示すように、端末装置１０１は、照明器具１の設置及びペアリング作業を行う照明器具設置図１０３を表示部１０２に表示する（ステップＳ３）。表示部１０２の左側には受信アドレスの画像が表示され、残りの右側には照明器具設置図１０３が表示される本実地の形態では、照明器具設置図１０３には、６つの照明器具１を設置する照明器具設置場所１０３ａが表示されている。
【００６２】
次に、図５及び図６の（ｂ）に示すように、設置作業者は、表示部１０２に表示されている照明器具設置図１０３から、表示部１０２を介し、複数ある照明器具設置場所１０３ａから１つの照明器具設置場所１０３ａを選択（タップ）する（ステップＳ４）。設置作業者が表示部１０２で１つの照明器具設置場所１０３ａを選択すると、選択されたことが判るように、表示部１０２の色が変化する。なお、選択がされたことが判れば、点滅でもよい。
【００６３】
次に、図５に示すように、端末装置１０１は、照明装置５から送信されてくる識別情報を受信したか否かを判断する（ステップＳ５）。照明装置５から送信されてくる識別情報を受信していない場合（ステップＳ５ではＮＯ）、ステップＳ５を開始した時間から現在までの時間である経過時間が所定時間以上であるか否かを判断する（ステップＳ６）。ステップＳ５を開始した時間とは、設置作業者が表示部１０２で１つの照明器具設置場所１０３ａを選択した時間である。
【００６４】
経過時間が所定時間以上であれば（ステップＳ６ではＹＥＳ）、照明装置５が所定時間設置されていない状態であると判断し、ステップＳ４で行われた選択を解除する（ステップＳ７）。そして、ステップＳ４に戻る。
【００６５】
経過時間が所定時間未満であれば（ステップＳ６ではＮＯ）、ステップＳ５に戻る。つまり、端末装置１０１は、照明装置５から送信されてくる識別情報が所定時間までに受信可能な状態で待機している受信待機状態となる（ステップＳ５：受信待機ステップの一例）。そして、ステップＳ５において受信待機状態となれば、設置作業者が照明装置５を本体ケース２１に取り付ける動作を示す図７のフローに移動する。なお、例えば、ステップＳ７のように、ステップＳ４で行われた選択が解除された状態では、端末装置１０１が識別情報を受信するものの、識別情報が送信されてきてもその信号を無効にする処理を行う。
【００６６】
図７に示すように、設置作業者は、照明器具設置図１０３で選択した照明器具設置場所１０３ａに本体ケース２１を天井の設置エリアに装着する（ステップＳ１１）。
【００６７】
次に、設置作業者は、天井の設置エリアに取り付けられている本体ケース２１に系統電力から給電されているか否かを判断する（ステップＳ１２）。つまり、設置作業者は、系統電力が流れているか否かの確認作業を行う。なお、系統電力が流れているか否かの判断は、端末装置１０１等を用いて自動で判断することができてもよい。
【００６８】
本体ケース２１に系統電力から給電されている場合（ステップＳ２でＹＥＳの場合）、設置作業者は、この系統電力からの給電を停止する（ステップＳ１３）。そして、ステップＳ１２に戻る。
【００６９】
本体ケース２１に系統電力から給電されていない場合（ステップＳ２でＹＥＳの場合）、次のステップに進む。
【００７０】
次に、設置作業者は、照明装置５を本体ケース２１に装着する（ステップＳ１４：装着ステップ）。
【００７１】
照明装置５を本体ケース２１に設置した際に、押圧突部２１ｂが発電部４５の圧電素子４５ａを押圧し、圧電素子４５ａが発電した電力を制御部４３に供給する。そして、制御部４３は、ステップＳ１４の直後（照明装置５を本体ケース２１に装着した瞬間又は直後）に、この電力により無線モジュール４７を介して識別情報を端末装置１０１に自動的に送信する（ステップＳ１５：送受信ステップの一例）。そして、図５に示すように、端末装置１０１側のフローであるステップＳ５に戻る（図７の破線Ａから図５の破線Ａに移動）。こうして、所定時間内に照明装置５の装着が行われば、ステップＳ５における受信待機状態は解除される。
【００７２】
次に、端末装置１０１では、図７のステップＳ１４で送信された識別情報を受信し（ステップＳ５ではＹＥＳ：送受信ステップの一例）、照明器具設置図１０３で選択した照明器具設置場所１０３ａの位置情報と、この送信されてきた照明装置５の識別情報との対応付け（ペアリング）を行う。端末装置１０１は、この位置情報と、この識別情報とを端末装置１０１の記憶装置に格納する（ステップＳ８：ペアリングステップの一例）。
【００７３】
次に、端末装置１０１は、表示部１０２の左側に表示されている「受信アドレス」の画像に「ＩＤ：００１」と表示（設置状態を表示）し、表示部１０２の照明器具設置図１０３で選択した照明器具設置場所１０３ａを更新する（照明器具設置図１０３で選択した照明器具設置場所１０３ａの色を、設置済みと判るように変更する）（ステップＳ９：ペアリングステップの一例）。こうして、設置作業者は、照明器具設置図１０３を見れば、照明装置５が設置されている状況を認識することができる。
【００７４】
次に、端末装置１０１は、照明装置５を他に装着する場所が存在するか否を判断する（ステップＳ１０）。本実施の形態では、残り５つの照明装置５を装着する箇所があるため（ステップＳ１０ではＹＥＳ）、ステップＳ３に戻る。このような作業を残り５回繰り返す。そして、ステップＳ１０にて、照明装置５を装着する場所が存在しなくなり（ステップＳ１０ではＮＯ）、このフローは終了する。
【００７５】
このようにして、照明器具１と端末装置１０１とのペアリング作業を含めた照明器具１の設置作業が行われる。そして、図８に示すような、複数の照明器具１と、端末装置１０１とを備える照明システム１００が構築される。
【００７６】
［照明システムの動作］
次に、照明器具１と端末装置１０１とのペアリング作業終了後における照明システム１００の動作について、図８及び図９を用いて説明する。
【００７７】
図９は、実施の形態に係る照明システム１００における照明器具１の初期設定及びその後の動作を示すフローチャートである。
【００７８】
まず、使用者は、照明器具１に給電を開始し、図８に示すように、端末装置１０１を用いて６つの照明器具１の初期設定を行う。ここで、使用者は、設置作業者であってもよく、ユーザであってもよい。
【００７９】
照明装置５を設置するフローにおいて、制御部４３は、無線モジュール４７を圧電素子４５ａで発電された電力により識別情報を送信するモード（エナジーハーベストモード）であったが、ペアリング作業が完了した後に、点灯、消灯、調光（明るさの調整）、および調色（発光色（色温度）の調整）等を制御する制御信号を受信することができる通常使用モードに変更する（ステップＳ２１）。
【００８０】
照明装置５は、例えば、発光モジュール６０における光源６２からの光の色温度を５０００Ｋにする等の動作を行うことができるように通常の動作を開始する（ステップＳ２２）。
【００８１】
次に、端末装置１０１が呼び出し信号を照明器具１に送信すると、照明器具１の制御部４３は、無線モジュール４７を介して呼び出し信号を受信する（ステップＳ２３）。
【００８２】
次に、制御部４３は、無線モジュール４７を介して端末装置１０１に応答信号を送信（ステップＳ２４）し、端末装置１０１が応答信号を受信する。そして、ステップＳ２１からステップＳ２４までの初期設定が終了する。
【００８３】
このような初期設定を経て、使用者は、照明器具１に対して通常の操作を行うことができる。照明器具１は、点灯、消灯、調光（明るさの調整）、および調色（発光色（色温度）の調整）等の操作が使用者によって端末装置１０１を介して行われているか否かを判断する。つまり、制御部４３は、これらの操作に基づいた制御信号が受信されているか否かの判断を行う（ステップＳ２５）。制御信号が受信されていない場合（ステップＳ２５ではＮＯ）は、ステップＳ２５に戻り、制御信号が端末装置１０１から受信されるまで同様の判断を行う。
【００８４】
使用者が端末装置１０１の操作を行うと、端末装置１０１を介して制御信号が照明器具１に送信され、無線モジュール４７を介して制御部４３がこの制御信号を受信する（ステップＳ２５ではＹＥＳ）。
【００８５】
制御部４３は、受信した制御信号に基づいた制御を行う（ステップＳ２６）。なお、ステップＳ２６で、消灯の操作が行われた場合には、ステップＳ２６のフローを停止してもよい。
【００８６】
次に、照明器具１の制御部４３は制御を行った結果を示す情報を、無線モジュール４７を介して端末装置１０１に送信し、端末装置１０１はこの情報を受信して表示部１０２に表示させる（ステップＳ２７）。そして、ステップＳ２５に戻り、使用者から次の操作が行われるまで、制御信号の受信を待つ。なお、制御を行った結果は、使用者が目視で確認することができるため、必須の構成ではない。
【００８７】
［作用効果］
次に、本実施の形態おける照明器具１、照明システム１００及び照明装置５の設定方法の作用効果について説明する。
【００８８】
上述したように、実施の形態に係る照明器具１は、本体ケース２１と、光源６２を有する照明装置５が本体ケース２１に装着された際に発電する発電部４５と、無線通信を行う無線モジュール４７と、照明装置５が本体ケース２１に装着された際に、発電部４５が発電した電力に基づいて、無線モジュール４７を介して照明装置５を識別する識別情報を送信する制御部４３とを備える。
【００８９】
この構成によれば、照明装置５を本体ケース２１に装着するだけで、発電部４５が発電した電力に基づいて識別情報を送信するため、端末装置１０１と照明装置５との対応付けを簡易に行うことができる。
【００９０】
したがって、系統電力から電力が供給されていなくてもペアリング作業を行うことができる。また、照明装置５を本体ケース２１に装着するだけでペアリング作業が行われれば、照明器具１の設置作業に対する作業効率を高める（ペアリング作業における煩雑さを軽減する）こともできる。
【００９１】
また、実施の形態に係る照明器具１において、圧電素子４５ａ、制御部４３及び無線モジュール４７は、照明装置５に固定されている。
【００９２】
この構成によれば、照明装置５と本体ケース２１とを電気的に接続し易くなる。
【００９３】
また、実施の形態に係る照明器具１において、発電部４５は、圧電素子４５ａであり、本体ケース２１は、圧電素子４５ａを押圧する押圧突部２１ｂを有している。そして、圧電素子４５ａは、照明装置５が本体ケース２１に装着された際に、識別情報を送信することができる電力を制御部４３に供給するように押圧突部２１ｂにより押圧される。
【００９４】
この構成によれば、照明装置５が本体ケース２１に装着された際に生じる発電部４５で発電した電力を制御部４３に供給するように、照明装置５が発電部４５の圧電素子４５ａを押圧するため、照明器具１に系統電力が供給されていなくても、端末装置１０１に識別情報を送信することができる。系統電力の供給を待たなくてもペアリング作業を行うことができる。
【００９５】
特に、事務所や倉庫のような比較的広い施設内において、ペアリング作業を行う場合に有用である。
【００９６】
上述したように、実施の形態に係る照明システム１００は、照明器具１と、表示部１０２を有する端末装置１０１とを備えている。端末装置１０１は、本体ケース２１に照明装置５が装着されると、装着した照明装置５の識別情報を受信し、照明器具１の設置されている状況を示す設置状態を更新して表示部１０２に表示する。
【００９７】
この構成によれば、設置作業者は、設置状態を確認しながら、作業を行うことができるため、ペアリング作業を行い易い。
【００９８】
特に、設置作業者は、照明装置５を本体ケース２１に装着したにも関わらず照明器具１が設置されている旨の表示がされていない場合は、照明器具１の設置位置が間違っていると判断できるため、このような間違いを修正することができる。つまり、一通り照明器具１の設置作業が終わった後に照明器具１の設置位置が間違っていることが判明するため、再度の照明器具１の設置作業を行うといった施工効率の低下を抑制できる。
【００９９】
また、実施の形態に係る照明システムにおいて、照明器具１を設置する設置エリア内には、複数の当該照明器具１が設置されている。
【０１００】
この構成によれば、ペアリング作業を行う上で、設置状態を確認しながら、作業を行うことができるため、ペアリング作業を行い易い。つまり、複数の照明器具１を設置することになっていても、正しい位置に照明器具１を設置することができるため、ペアリング作業を行い易い。
【０１０１】
上述したように、実施の形態に係る照明システム１００の設定方法は、設置エリア内における照明器具１の設置状態を端末装置１０１が取得する設置状態取得ステップ（Ｓ２）と、設置状態取得ステップ（Ｓ２）後に、表示部１０２に表示されている複数の照明器具１から１つの照明器具１を選択し、識別情報を受信待ち状態とする受信待機ステップ（Ｓ５）と、受信待機ステップ（Ｓ５）で選択した１つの照明器具１における照明装置５を本体ケース２１に装着する装着ステップ（Ｓ１４）と、装着ステップ（Ｓ１４）の直後において、制御部４３が無線モジュール４７を介して送信した識別情報を、端末装置１０１が受信する送受信ステップ（Ｓ５、Ｓ１５）と、端末装置１０１と照明器具１とを対応付けるペアリングステップ（Ｓ８、Ｓ９）とを含む。
【０１０２】
この方法によれば、受信待機ステップ（Ｓ５）で１つの照明器具１を選択した後に、照明装置５を本体ケース２１に装着するだけで、設置された照明器具１と端末装置１０１とのペアリング作業を行うことができる。このため、照明器具１の設置作業を行う施設に系統電力が供給されていなくても、すぐにこのような作業を実行することができるため、利便性が高い。
【０１０３】
したがって、このような照明システム１００の設定方法では、照明器具１の設置作業に対する作業性を高めることができる。
【０１０４】
（その他変形例等）
以上、本発明に係る照明器具及び照明システムについて、実施の形態に基づいて説明したが、本発明は、上記実施の形態に限定されるものではない。
【０１０５】
本発明の実施の形態の変形例に係る照明システム１００の設定方法について、図１０を用いて説明する。図１０は、実施の形態に係る照明システム１００の設定方法において、設置作業者が本体ケース２１に照明装置５の装着を行っている状態を示す模式図である。実施の形態では、照明器具１と端末装置１０１とが同一のプロトコルを使用している場合であるが、本実施の形態の変形例では、照明システム１００の設定方法において、異なるプロトコルを使用している場合である。図１０に示すように、照明器具１と端末装置１０１とは、中継器１１０を介して通信を行っている。中継器１１０は、電波形式、プロトコル、周波数等を変換するゲートウェイである。中継器１１０には、系統電力を供給してもよく、一次電池や二次電池の電力を供給してもよい。設置作業者が照明装置５を本体ケース２１に装着した際に破線で示すように中継器１１０に識別情報を送信する。中継器１１０は、端末装置１０１が認識できるプロトコルに変換して端末装置１０１に送信する。これにより、照明器具１と端末装置１０１とがペアリング作業を行うことができる。
【０１０６】
また、実施の形態に係る照明器具において、照明装置は、光源を発光させるための電力を供給する通電用の照明装置側コネクタを有していてもよい。本体ケースは、照明装置が本体ケースに装着された際に、照明装置側コネクタと電気的に接続するケース側コネクタを有していてもよい。照明装置を本体ケースに装着するだけで、ケース側コネクタと照明装置側コネクタとが電気的に接続されるように構成されていてもよい。この場合、ケース側コネクタと照明装置側コネクタとが簡易に接続を行うことができる。
【０１０７】
なお、本実施の形態において、照明装置を本体ケースに装着する順番を予め設定しておき、その順番に従って設置作業（バッチ処理）を行ってもよい。
【０１０８】
なお、本実施の形態では、複数の端末装置において、照明器具と端末装置とのペアリングを行ったペアリング情報を結合することができてもよい。例えば、２人の設置作業者が図６の（ａ）における照明器具設置図の半分の作業を一方の設置作業者が行い、他方の設置作業者が残り半分の作業を行うとする。両設置作業者が照明器具と端末装置とのペアリング作業を終了した場合、互いの端末装置における照明器具設置図では、ペアリング作業が３つずつ完了しているペアリング情報が表示されている。このペアリング情報を共有し１つの情報に結合すれば全てのペアリング作業が終了したペアリング情報を得ることができる。バッチ処理と組み合わせてペアリング情報の結合を行ってもよい。
【０１０９】
なお、本実施の形態において、照明装置を本体ケースに装着した際に識別情報を端末装置に送信するように、押圧突部は基台に設けられ、発電部と無線モジュールとが本体ケースに設けられていてもよい。
【０１１０】
また、本発明では、照明器具は、プログラム配信サーバとインターネットを通じて通信可能な照明器具であってもよい。照明器具は、複数の機能に対応するハードウェアと、ハードウェアを複数の機能に応じて動作させるための書き換え可能な記憶部とを備えていてもよい。照明器具が機能に応じて照明を行うためには、当該機能に対応する、ハードウェアを動作させるためのソフトウェア（プログラム）が記憶部に記憶されている。このソフトウェアは、予め記憶部に記憶されていてもよく、プログラム配信サーバから配信されるプログラムを受信して記憶されてもよい。プログラム配信サーバから配信されるプログラムを受信する場合、照明器具のユーザは、スマートフォンや、タブレット端末などの入力装置を用いて所望の機能（プログラム）を選択する。そうすると、選択されたプログラムがプログラム配信サーバから照明器具に配信され、配信されたプログラムは、照明器具内の記憶部に記憶される。これにより、ユーザは、配信されたプログラムに対応する照明器具の機能を利用することができる。
【０１１１】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１１２】
１  照明器具
５  照明装置
７ａ  照明装置側コネクタ
２１  本体ケース
２１ｃ  ケース側コネクタ
２１ｂ  押圧突部（凸部）
４３  制御部
４５  発電部
４５ａ  圧電素子
４７  無線モジュール（無線通信部）
１０１  端末装置
１００  照明システム
【図１】
0006617882.tif 000002
【図２】
0006617882.tif 000003
【図３】
0006617882.tif 000004
【図４】
0006617882.tif 000005
【図５】
0006617882.tif 000006
【図６】
0006617882.tif 000007
【図７】
0006617882.tif 000008
【図８】
0006617882.tif 000009
【図９】
0006617882.tif 000010
【図１０】
0006617882.tif 000011